(57)【要約】【課題】作業者が作業場で作業を開始した開始時刻や作業を終了した終了時刻を把握することができる。【解決手段】本発明の作業管理支援装置は、作業者が指定した作業指定時刻と作業者が使用する作業機が稼働しているときの稼働状態とを取得する情報取得部５１と、取得した作業指定時刻と作業機の稼働状態とに基づいて作業者が作業を開始した開始時刻及び／又は作業者が作業を終了した終了時刻を算出する演算処理部５３とを備えている。【選択図】図１
2014199511.tif 000002
【特許請求の範囲】
【請求項１】
作業者が指定した作業指定時刻と前記作業者が使用する作業機が稼働しているときの稼働状態とを取得する情報取得部と、取得した作業指定時刻と作業機の稼働状態とに基づいて作業者が作業を開始した開始時刻及び／又は作業者が作業を終了した終了時刻を算出する演算処理部とを備えていることを特徴とする作業管理支援装置。
【請求項２】
前記演算処理部は、前記作業指定時刻によって作業者の作業指定時間帯を算出し、算出した作業指定時間帯の稼働状態を求め、前記稼働状態の中で最初に稼働が開始したとされる稼働開始時点と一致する時刻を前記開始時刻とすることを特徴とする請求項１に記載の作業管理支援装置。
【請求項３】
前記演算処理部は、前記作業指定時刻によって作業者の作業指定時間帯を算出し、算出した作業指定時間帯の稼働状態を求め、前記稼働状態の中で最後に稼働が終了したとされる稼働終了時点と一致する時刻を前記終了時刻とすることを特徴とする請求項１又は２に記載の作業管理支援装置。
【請求項４】
前記表示部は、時間経過を表示する時間経過表示部と、前記時間経過表示部に沿って作業者の作業指定時間帯を表示する作業者表示部と、前記時間経過に沿って作業機の稼働状態の時間経過を表示する機械表示部とを備えていることを特徴とする請求項１〜３のいずれかに記載の作業管理支援装置。
【請求項５】
前記表示部には、前記時間経過表示部に沿って移動自在で且つ前記時間経過表示部に対応する時刻を指し示す指定表示具が表示されており、
前記演算処理部は、前記指定表示具で指し示された指定時刻が前記作業者の作業指定時間帯の範囲内で且つ前記機械表示部で示した稼働状態の時間経過と重複している場合に、前記指定時刻を、前記稼働開始時点と一致する時刻又は前記稼働終了時点と一致する時刻とすることを特徴とする請求項４に記載の作業管理支援装置。
【請求項６】
作業者が作業を行ったとされる作業指定時刻を指定する携帯端末と、
前記作業者が使用する作業機が稼働している稼働状態と、前記携帯端末で指定された作業指定時刻を取得する作業管理支援装置とを備え、
前記作業管理支援装置は、取得した作業指定時刻と作業機の稼働状態とに基づいて作業を開始した開始時刻及び／又は作業を終了した終了時刻を算出する演算処理部を備えていることを特徴とする作業管理システム。
【発明の詳細な説明】
【技術分野】
【０００１】
本発明は、例えば、作業場での作業を管理する作業管理支援装置及び作業管理システムに関する。
【背景技術】
【０００２】
近年、圃場などの作業場で作業を行う作業者（農作業者）の作業を把握したいという要望が高まってきている。農作業における作業者の作業開始や作業終了を把握しようとする技術として、特許文献１に示すものがある。
特許文献１では、カメラを用いて作業開始時に圃場の状態を撮像すると共に、作業終了時に圃場の状態を撮像するものである。そして、撮像した画像の時刻から作業開始及び作業終了を把握しようとするものである。
【先行技術文献】
【特許文献】
【０００３】
【特許文献１】特開２０１１−１８３０３号公報
【発明の概要】
【発明が解決しようとする課題】
【０００４】
特許文献１は、作業者が作業開始時に圃場の状態を確実に撮像し、作業終了時に圃場の状態を確実に撮像すれば、作業開始及び作業終了を把握することができる。しかしながら、作業者が撮像を忘れてしまうこともあり、この場合には、作業開始や作業終了を把握することができない。
そこで本発明は、上記問題に鑑み、作業者が作業場で作業を開始した開始時刻や作業を終了した終了時刻を把握することができる作業管理支援装置及び作業管理システムを提供することを目的とする。
【課題を解決するための手段】
【０００５】
前記目的を達成するために、本発明は、次の手段を講じた。
即ち、請求項１に係る作業管理支援装置では、作業者が指定した作業指定時刻と前記作業者が使用する作業機が稼働しているときの稼働状態とを取得する情報取得部と、取得した作業指定時刻と作業機の稼働状態とに基づいて作業者が作業を開始した開始時刻及び／又は作業者が作業を終了した終了時刻を算出する演算処理部とを備えていることを特徴とする。
【０００６】
請求項２に係る作業管理支援装置では、前記演算処理部は、前記作業指定時刻によって作業者の作業指定時間帯を算出し、算出した作業指定時間帯の稼働状態を求め、前記稼働状態の中で最初に稼働が開始したとされる稼働開始時点と一致する時刻を前記開始時刻とすることを特徴とする。
請求項３に係る作業管理支援装置では、前記演算処理部は、前記作業指定時刻によって作業者の作業指定時間帯を算出し、算出した作業指定時間帯の稼働状態を求め、前記稼働状態の中で最後に稼働が終了したとされる稼働終了時点と一致する時刻を前記終了時刻とすることを特徴とする。
【０００７】
請求項４に係る作業管理支援装置では、前記表示部は、時間経過を表示する時間経過表示部と、前記時間経過表示部に沿って作業者の作業指定時間帯を表示する作業者表示部と、前記時間経過に沿って作業機の稼働状態の時間経過を表示する機械表示部とを備えていることを特徴とする。
請求項５に係る作業管理支援装置では、前記表示部には、前記時間経過表示部に沿って移動自在で且つ前記時間経過表示部に対応する時刻を指し示す指定表示具が表示されており、前記演算処理部は、前記指定表示具で指し示された指定時刻が前記作業者の作業指定時間帯の範囲内で且つ前記機械表示部で示した稼働状態の時間経過と重複している場合に、前記指定時刻を、前記稼働開始時点と一致する時刻又は前記稼働終了時点と一致する時刻とする。
【０００８】
請求項６に係る作業管理支援装置では、作業者が作業を行ったとされる作業指定時刻を
指定する携帯端末と、前記作業者が使用する作業機が稼働している稼働状態と、前記携帯端末で指定された作業指定時刻を取得する作業管理支援装置とを備え、前記作業管理支援装置は、取得した作業指定時刻と作業機の稼働状態とに基づいて作業を開始した開始時刻及び／又は作業を終了した終了時刻を算出する演算処理部を備えていることを特徴とする。
【発明の効果】
【０００９】
請求項１に係る発明によれば、作業者が作業場で作業を開始した開始時刻や作業を終了した終了時刻を把握することができる。
請求項２に係る発明によれば、作業機の稼働状態を用いて簡単に作業の開始時刻を求めることができる。
請求項３に係る発明によれば、作業機の稼働状態を用いて簡単に作業の終了時刻を求めることができる。
【００１０】
請求項４に係る発明によれば、作業者が予め指定した作業指定時刻から求められる作業指定時間帯と、作業機の稼働状態との関係を簡単に把握することができる。
請求項５に係る発明によれば、作業者が予め指定した作業指定時刻から求められる作業指定時間帯と作業機の稼働状態とを見ながら、作業時刻や作業終了時刻の抽出等を行うことができる。
【００１１】
請求項６に係る発明によれば、例えば、作業者が作業時に携帯端末を所持することにより簡単に作業指定時刻を指定することができる。また、作業者が作業終了後や作業中などに、作業者が作業場で作業を開始した開始時刻や作業を終了した終了時刻を把握することができる。
【図面の簡単な説明】
【００１２】
【図１】第１実施形態における作業管理システムの全体図である。
【図２】作業開始指定時刻及び作業終了指定時刻を指定する説明図である。
【図３】作業管理支援装置に記憶されているデータの一例を示す図である。
【図４】作業機の稼働状態から作業開始時刻、作業終了時刻を求める説明図である。
【図５】表示部の一例を示す図である。
【図６】第２実施形態における表示部の説明図である。
【図７】第３実施形態における作業管理システムの全体図である。
【図８】トラクタの全体構成を示す概略図である。
【発明を実施するための形態】
【００１３】
以下に、図面を参照しながら、本発明の実施形態による作業管理支援装置及び作業管理支援装置を備えて作業管理システムを説明する。時刻とは、「時」、「分」、「秒」の少なくとも１つを用いて時の一点を指すものであるが、「年」、「月」、「日」を用いて時を指し示すものであってもよい。
［第１実施形態］
本発明の作業管理システムは、作業場において作業を行った作業者や作業機の作業を管理することができるシステムである。この作業管理システムは、例えば、農作物等を栽培する圃場（作業場）で農作業を行った作業者、或いは、圃場で農作業を行った農業機械（作業機）の様々な管理を行うものである。以下、説明の便宜上、作業場を圃場、作業を農作業、作業機を農業機械とし、作業管理システムについて説明する。
【００１４】
図１に示すように作業管理システム１は、トラクタ、コンバイン、田植機などの農業機械２に搭載されたデータ収集装置３と、作業者が農作業の際に所持する携帯端末４と、作業管理支援装置５を備えている。
データ収集装置３は、農業機械２が稼働したときの稼働情報（稼働状態）を収集するもので、例えば、農業機械の負荷情報（速度、エンジン回転数）、施肥量、収穫量などの農作業に関する稼働情報を農作業データとして収集する。なお、農作業データとして収集する内容（項目）は、予めデータ収集装置３等に設定されている。
【００１５】
データ収集装置３は、無線通信を行う通信装置３１を備えている。この通信装置３１は、例えば、通信規格であるＩＥＥＥ８０２．１１シリーズのＷｉ-Ｆｉ（登録商標）など
の無線通信を行うことができる。そのため、このデータ収集装置３では、農作業時に農業機械２から出力された農作業データを取得して、収集した農作業データをＷｉ-Ｆｉによる無線通信によって外部に送信することができる。
【００１６】
なお、通信装置３１は、農業機械２を特定（識別）するための作業機特定情報も外部に送信することが望ましい。作業機特定情報は、農業機械などの作業を行う作業機を特定するものであればどのようなものであってもよく、例えば、製造番号、機種、型式番号等である。このように作業機特定情報を農作業データと共に送信するようにすれば、どの農業機械２の農作業データであるかを識別することが可能となる。
【００１７】
携帯端末４は、例えば、比較的演算能力の高いスマートフォン（多機能携帯電話）やタブレットＰＣ等の携帯型コンピュータなどである。この携帯端末４は、農作業時に作業者が所持することにより、農作業における様々な補助（サポート）を行うものある。
具体的には、携帯端末４は、衛星測位システム（Global Positioning System，Galileo、GLONASSなど）によって自己の位置（自己位置）を検出する位置検出装置４０を備えている。この位置検出装置４０は、測位衛星（例えば、ＧＰＳ衛星）６から送信された信号（ＧＰＳ衛星の位置、送信時刻、補正情報等）を受信し、受信した信号に基づいて自己位置（例えば、緯度、経度）を検出する。また、位置検出装置４０は、ＧＰＳ衛星６から送信された送信時刻等に基づいて自己位置を検出した時の検出時刻も求める。このようなことから、携帯端末４では、作業者が農作業を行うときに携帯端末４を所持することにより、作業者の位置（作業者位置という）と、作業者位置を検出したときの検出時刻を取得することができる。
【００１８】
携帯端末４は、時刻を算出する計時部４４と、農作業の開始又は終了を示す作業指定時刻を指定する作業時刻指定部４５とを備えている。作業時刻指定部４５は、図２に示すように、携帯端末４の表示部４６に表示された作業開始ボタン４７ａが選択時されると、選択時に計時部４４が指し示した時刻を、作業開始指定時刻とする。また、作業時刻指定部４５は、表示部４６に表示された作業終了ボタン４７ｂが選択時されると、選択時に計時部４４が指し示した時刻を、作業終了指定時刻とする。このように、携帯端末４の作業時刻指定部４５によって、作業指定時刻（作業開始指定時刻、作業終了指定時刻）を指定することができる。なお、携帯端末４の表示部４６は、様々な情報を表示すると共に入力インターフェースとしても機能を有するタッチパネル等で構成されていることが望ましい。
【００１９】
また、携帯端末４は、無線通信を行う通信装置４１を備えている。この通信装置４１は、例えば、通信規格であるＩＥＥＥ８０２．１１シリーズのＷｉ-Ｆｉ（登録商標）などの無線通信を行ったり、移動体通信網（例えば、携帯電話通信網）による無線通信を行う。
このようなことから、携帯端末４は、データ収集装置３との無線通信によって農作業データを取得することができると共に、取得した農作業データ、農作業時の作業者の作業者位置、作業者位置を検出した検出時刻、作業時刻指定部４５によって指定した作業指定時刻（作業開始指定時刻、作業終了指定時刻）などを、移動体通信網の無線通信によって外部に送信することができる。なお、携帯端末４とデータ収集装置３との無線通信の通信距離は近距離であって、例えば、０〜２０ｍの範囲に設定されている（通信距離の最大値が２０ｍ）。
【００２０】
通信装置４１は、携帯端末４、即ち、携帯端末４を所持する作業者を特定するための作業者特定情報（例えば、電話番号、固有ＩＤ番号など）も外部に送信することが望ましい。このようにすれば、携帯端末４を所持している作業者が誰であるかを識別することができる。
まとめると、このような作業管理システム１では、農作業を行った時の作業機側情報（農作業データ、作業機特定情報など）をデータ収集装置３で収集する。また、農作業を行った携帯側情報（作業者位置、検出時刻、作業者特定情報、作業開始指定時刻、作業終了指定時刻）を携帯端末４側で取得することができ、これら作業機側情報や携帯側情報は、携帯端末４から外部へ送信することができる。
【００２１】
さて、携帯端末４から外部に送信された作業機側情報及び携帯側情報は、農作業の管理
を行う作業管理支援装置５に保存することができる。この作業管理支援装置５は、ネットワーク上に配置されたサーバにより構成されている。
サーバ５は、作業機側情報として携帯端末４から送信された農作業データを整理することにより、例えば、農作業終了後の作業日報の作成、作業計画の作成、農作業の分析、経営計画等を作成することができる。
【００２２】
次に、農業機械２（データ収集装置３）から携帯端末４を介してサーバ５に、作業機側情報及び携帯側情報を送信する流れについて、トラクタを例にあげ詳しく説明する。
図８に示すように、トラクタ２は、前後に車輪が取り付けられた走行車両（走行車体）１０に、エンジン１１、変速装置１２等を搭載して構成されている。エンジン１１の後方には、独立搭載型のキャビン１３が設けられており、キャビン１３内には運転席１４が設けられている。また、走行車両１０の後部には、３点リンク機構１５が昇降可能に設けられると共に、エンジン１１からの動力を伝達するＰＴＯ軸が設けられている。３点リンク機構１５には、肥料散布装置、耕耘装置、農薬散布装置、播種散布装置、収穫装置などの作業装置１６が着脱自在となっている。なお、図８は、肥料散布装置を３点リンク機構１５に取り付けた例を示している。
【００２３】
図１に示すように、トラクタ２には、データ収集装置３の他に、制御装置８が搭載されている。この制御装置８は、トラクタ２の走行系制御や作業系制御等を行うものであって、走行系制御として、エンジンの動作を制御したり、作業系制御として、運転席の周囲に設けられた操作レバーや操作スイッチなどの操作具からの入力を受けると、入力値に従って３点リンク機構１５の昇降、ＰＴＯ軸の出力（回転数）などの動作を制御する。トラクタ２の走行系制御や作業系制御を行うときの制御信号や制御を行うための各種検出信号（例えば、センサが検出した信号）は、車両用通信ネットワークに出力されて、トラクタ２の各部に伝達される。なお、制御装置８による走行系制御や作業系制御は、上述したものに限定されない。
【００２４】
データ収集装置３は、トラクタ２が動作しているときの農作業に関する様々なデータを各種センサや制御装置８等が接続された車両用ネットワーク等を介して自動的に収集する。例えば、トラクタ２の後部に作業装置１６として耕耘装置が連結されてトラクタ２が動作したときは、ロータリーの回転数、ロータリーの負荷、エンジン回転数、車速、耕深などのデータが車両用通信ネットワークに出力される。データ収集装置３は、ロータリーの回転数、ロータリーの負荷、エンジン回転数、車速、耕深などを農作業データとして取得する。
【００２５】
また、作業装置１６が肥料散布装置、農薬散布装置、播種散布装置である場合は、車速、エンジン回転数、散布量（肥料散布量、農薬散布量、播種散布量）などのデータが車両通信ネットワーク上に出力され、データ収集装置３は、車速、エンジン回転数、肥料散布量（施肥量）、農薬散布量、播種散布量を農作業データとして取得する。或いは、作業装置１６が収穫装置である場合は、車速、エンジン回転数、収穫量などのデータが車両通信ネットワーク上に出力され、データ収集装置３は、車速、エンジン回転数、収穫量を農作業データとして取得する。なお、この他に、農作業データは、コンバインであるときは、例えば、刈り取りクラッチのＯＮ又はＯＦＦ、田植機であるときは、植え付けクラッチのＯＮ又はＯＦＦ、トラクタであるときは、ＰＴＯ軸の出力（回転数）、３点リンク機構１５の昇降の高さなどである。また、農作業データは、農業機械２が稼働しているかしていないかを示す稼働フラグであってもよい。
【００２６】
また、データ収集装置３は、様々な情報を一時的に記憶する第１記憶部（バッファ）３３を備えている。この第１記憶部３３には、農作業データ、作業機特定情報が記憶される。農作業データは、トラクタ２が移動する毎、又は、トラクタ２が動作する毎に、逐次、第１記憶部３３に記憶される。また、データ収集装置３は、時間を計時する計時部３４が設けられている。農作業データの検出時に計時部３４が計時した時間を、データ検出時間として第１記憶部３３に記憶する。なお、計時部３４で計時する時間は、トラクタ２が稼働した稼働時間を累積した稼働累積時間（アワメータ）であってもよいし、時刻（年、月、日、時、分、秒）であってもよいし、経過時間をカウントアップしたカウンタの数値で
あってもよい。
【００２７】
データ収集装置３の通信装置３１は、後述するように、携帯端末４との認証が成立すると、第１記憶部３３に記憶された農作業データ（ロータリーの回転数、ロータリーの負荷、エンジン回転数、車速、耕深等）、作業機特定情報などの作業機側情報を携帯端末４に送信する。なお、通信装置３１は、データ検出時間も農作業データとして携帯端末４に送信する。
【００２８】
例えば、データ収集装置３と携帯端末４との通信を行う前に、予め、携帯端末４に、接続対象であるデータ収集装置３の認証情報（例えば、ＳＳＩＤ、ネットワークキーなど）を予め入力（登録）しておく。即ち、接続対象となるデータ収集装置３の認証情報を、携帯端末４の第２記憶部４３に予め記憶しておく。
そして、データ収集装置３から認証情報を含むビーコンを送信している状況下にて、携帯端末４が接続対象となるデータ収集装置３の通信エリア内に入り、当該携帯端末４がデータ収集装置３から発信されるビーコンを受信すると、携帯端末４の通信装置４１は、認証情報をデータ収集装置３に送信する。データ収集装置３は、携帯端末４から送信された認証情報を受信すると、当該データ収集装置３に記憶されている認証情報を用いて携帯端末４との認証を行う。認証が成立し、データ収集装置３と携帯端末４との接続が確立すると、データ収集装置３の通信装置３１は、作業機側情報を携帯端末４に送信する。携帯端末４は、作業側情報を受信すると第２記憶部４３に作業機側情報を記憶する。
【００２９】
また、携帯端末４の位置検出装置４０は、当該携帯端末の位置検出機能をオンした場合、自己位置を逐次検出する。この自己位置は、第２記憶部４３に検出時刻（自己位置を検出した時刻）と共に逐次記憶される。このように、第２記憶部４３には、データ収集装置３から送信された作業機側情報（農作業データ、作業機特定情報等）が記憶されると共に、携帯側情報（自己位置、検出時刻、作業者特定情報、作業開始指定時刻、作業終了指定時刻）が記憶される。
【００３０】
さて、携帯端末４がサーバ５にアクセスを行い、サーバ５によって携帯端末４からのアクセスが許可される（携帯端末４とサーバ５との認証が成立する）と、携帯端末４の通信装置４１は、第２記憶部４３に記憶された作業機側情報をサーバ５に送信すると共に、携帯側情報をサーバ５に送信する。携帯端末４からサーバ５に送信される携帯側情報のうち、携帯端末４の自己位置は作業者位置としてサーバ５に送信することとしている。
【００３１】
一方、作業管理支援装置であるサーバ５は、外部からの様々なデータ（情報）を受信（取得）する情報取得部５１を備えている。この情報取得部５１は、携帯端末４から送信された作業機側情報（農作業データ、作業機特定情報）及び携帯側情報（作業者位置、検出時刻、作業者特定情報、作業開始指定時刻、作業終了指定時刻）を受信（取得）する。なお、情報取得部５１は、少なくとも作業者位置及び検出時刻を取得するものであればよい。
【００３２】
サーバ５は、作業機側情報、携帯側情報、作業場(圃場)に関する作業場情報などを記憶する第３記憶部５２を備えている。第３記憶部５２は、例えば、図３（ａ）に示すように、作業機側情報として作業機特定情報、農作業データ（エンジン回転数、施肥量、データ検出時間等）を記憶する。また、第３記憶部５２には、例えば、図３（ｂ）に示すように、携帯側情報として作業者特定情報、作業者位置（緯度、経度）、検出時刻、作業開始指定時刻、作業終了指定時刻）を記憶する。この他、第３記憶部５２には、作業場情報として作業場（圃場）を含むマップ（作業場マップ）を記憶する。作業場マップは、作業場（圃場）を示す画像や図の他、作業場の場所を示すための位置（緯度、経度）を有している。
さて、本発明の作業管理支援装置（サーバ５）は、作業者が農作業を開始した開始時刻や農作業を終了した終了時刻などを、農業機械（トラクタ２）の稼働情報（稼働状態）によって設定することができる。
【００３３】
以下、作業管理支援装置（サーバ５）について詳しく説明する。
図１に示すように、サーバ５は、演算処理部５３と、表示部５４とを備えている。
演算処理部５３は、ＣＰＵ等により構成されていてサーバ５において様々な演算処理を行うものである。表示部５４は、液晶、タッチパネル等から構成されていて、第３記憶部５２に記憶された様々な情報（作業機側情報、携帯側情報、作業場マップ）やインターフェース等を介して入力された情報等を表示するすることができるものである。
【００３４】
演算処理部５３について詳しく説明する。
演算処理部５３は、作業者が指定した作業指定時刻（作業開始指定時刻、作業終了指定時刻）と、トラクタ２が稼働しているときの稼働情報（稼働状態）とに基づいて、作業者が農作業を開始した開始時刻、作業者が農作業を終了した終了時刻を算出するものである。
【００３５】
図４は、作業者が指定した作業指定時刻と、トラクタ２の稼働状態との関係を示したものである。図４を用いて演算処理部５３における処理について説明する。
図４（ａ）に示すように、作業開始指定時刻は、例えば、作業者が農作業を開始する際に、携帯端末４の表示部４６に表示された作業開始ボタン４７ａをタップして選択することにより設定された時刻である。また、作業終了指定時刻は、例えば、作業者が農作業を終了する際に、携帯端末４の表示部４６に表示された作業終了ボタン４７ｂをタップして選択することにより設定された時刻である。図４（ａ）では「５時００分」が作業開始指定時刻であり、「１２時３０分」が作業終了指定時刻である。なお、これらの作業開始指定時刻及び作業終了指定時刻は、携帯端末４からサーバ５が携帯側情報を受信した際に、第３記憶部５２に記憶される。
【００３６】
一方、図４（ｂ）は、トラクタ２の稼働情報から得られたトラクタ２の稼働状態を表示バーによって例示したものである。図４（ｂ）では、表示バーが示されている時刻では、トラクタ２が稼働していることを示し、表示バーの表示が無い時刻では、トラクタ２が稼働していないことを示している。
詳しくは、図４（ｂ）は、稼働情報の１つであるエンジン回転数を用いてトラクタ２の稼働の有無（稼働状態）を表したもので、エンジン回転数が零であるときは、トラクタ２は稼働していないとして、稼働時刻に対応する位置には表示バーを示しておらず、エンジン回転数が零以外であるときは、トラクタ２は稼働しているものとして、表示バーを示している。図４（ｂ）では、トラクタ２のエンジンは連続して稼働しており、トラクタ２が稼働始めた稼働開始時点の時刻である「６時００分」に表示バーの先端部を表示している。また、トラクタ２が稼働終了した稼働終了時点の時刻である「１２時００分」に表示バーの後端部を表示している。
【００３７】
まず、稼働情報が図４（ｂ）に示すように連続している場合について説明する。
入力インタフェース等によって演算開始の指示がなされると、演算処理部５３は、作業開始指定時刻から作業終了指定時刻までの時間帯（作業指定時間帯：５時００分〜１２時３０分）を求める。
次に、演算処理部５３は、求めた作業指定時間帯（５時００分〜１２時３０分）と、第３記憶部５２に記憶されているエンジン回転数を検出したデータ検出時間（稼働状態の時間経過）との照合を行う。この照合では、演算処理部５３は、第３記憶部５２に記憶された各データ検出時間の中で、作業指定時間帯に入る各データ検出時間における最初の時間（６時００分）を抽出する。そして、表示バーの先端に対応するデータ検出時間（６時００分）に対応する時刻を、作業を開始した開始時刻とする。つまり、演算処理部５３は、作業指定時間帯に入る稼働状態（データ検出時間）を求め、稼働状態（データ検出時間）の中で最初に稼働が開始したとされる稼働開始時点と一致する時刻を、開始時刻とする。
【００３８】
また、演算処理部５３は、照合において、第３記憶部５２に記憶された各データ検出時間の中で、作業指定時間帯に入る各データ検出時間における最後の時間（１２時００分）を抽出する。そして、表示バーの後端に対応するデータ検出時間（１２時００分）に対応する時刻を、作業を終了した終了時刻とする。つまり、演算処理部５３は、作業指定時間帯に入る稼働状態（データ検出時間）を求め、稼働状態（データ検出時間）の中で最後に稼働が終了したとされる稼働終了時点と一致する時刻を、終了時刻とする。
【００３９】
さて、図４（ｂ）では、トラクタ２の稼働が連続してたが、図４（ｃ）に示すように、
トラクタ２の稼働が、例えば、数分〜数十分程度の間隔で繰り返される場合がある。
この場合も、演算処理部５３は、作業指定時間帯（５時００分〜１２時３０分）に入っているデータ検出時間を第３記憶部５２から抽出する。そして、演算処理部５３は、抽出したデータ検出時間の中で最初の時間（６時００分）を抽出し、抽出した最初の時間（最初に稼働が開始したとされる稼働開始時点）を開始時間とする。また、演算処理部５３は、抽出したデータ検出時間の中で最後の時間（１２時００分）を抽出し、抽出した最後の時間（最後に稼働が終了したとされる稼働終了時点）を終了時間とする。
【００４０】
なお、上述した実施形態では、稼働情報の１つであるエンジン回転数を用いて、トラクタ２の稼働状態を求めているが、稼働状態を求めることができる他の稼働情報を用いてもよい。例えば、データ収集装置３で収集した農作業データのうち、農作業時にトラクタ２が動いているかいないかの判断ができる情報（農作業が行われたことが判断し易い情報）を、稼働情報として採用してもよい。農作業として施肥作業を行ったときは、施肥量の農作業データを得ることができ、農作業として収穫作業を行ったときは、収穫量の農作業データを得ることができるため、このような施肥量や収穫量等を用いてトラクタ２の稼働状態を求めるようにしてもよい。
【００４１】
表示部５４は、作業者が作業を開始した作業開始時刻（演算処理部５３で求めた作業開始時刻）、作業を終了した作業終了時刻（演算処理部５３で求めた作業終了時刻）を表示したり、トラクタ２の稼働状態を表示したり、作業者の作業者位置を表示する。
図５は、表示部５４の一例を示したものである。
表示部５４は、作業を振り返ることができる振り返り画面Ｓを表示可能なものであって、位置表示部５６と、時間経過表示部６０と、作業者表示部６１と、機械表示部８０とを備えている。
【００４２】
位置表示部５６は、矩形状の表示フレームから構成され、この表示フレーム内に作業者位置、作業場マップ等を表示する。時間経過表示部６０は、表示部５４（振り返り画面Ｓ）に表示する時間の流れ（時間経過）を認識し易くするためのものであって、位置表示部（表示フレーム）５６の周囲に表示されている。
詳しくは、位置表示部５６の下側に時間経過表示部６０が設けられている。この時間経過表示部６０は、表示フレーム５６の下端に沿って左右方向に所定の間隔で配置された目盛線６０ａと、目盛線６０ａ上に数字等によって時刻を示した時刻表示体６０ｂとで構成されている。また、時間経過表示部６０は、時間の流れを示す直線上の時間軸６０ｃが目盛線６０ａの下側であって当該目盛線６０ａに沿って設けられている。
【００４３】
最小値を示す目盛線６０ａ（時刻表示体６０ｂ）の近傍や最大値を示す目盛線６０ａ（時刻表示体６０ｂ）の近傍には、時刻表示体６０ｂに示される数値（時刻）を変更する変更部６２が示されている。変更部６２を入力インタフェースを用いて選択すると、時刻表示体６０ｂの時刻を増減させることができる。
作業者表示部６１は、作業者に関する様々な情報を表示するものである。作業者表示部６１は、時間経過表示部６０の下側に設けられたもので、作業者を識別（特定）するための作業者名を表示する作業者名表示部６５と、作業者の作業等に関する情報（作業関連情報）を時間経過と共に表示する作業者時間表示部６６とを備えている。作業者名表示部６５は、時間経過表示部６０（表示フレーム５６）の下側であって時間軸６０ｃよりも左側に設けられ、作業者時間表示部６６は、時間経過表示部６０（表示フレーム５６）の直下に設けられている。
【００４４】
作業者名表示部６５は、作業者名を表示するものである。例えば、振り返り画面Ｓに表示する作業者名が予めサーバ５に登録されている場合は、作業者名表示部６５は、サーバ５に登録された作業者名を表示する。或いは、作業者特定情報と作業者名とが予め関連付けられてサーバ５の第３記憶部５２に記憶されている場合は、作業者名表示部６５は、作業者特定情報に対応する作業者名を表示する。なお、作業者名表示部６５が作業者名を表示する方法は上述したものに限定されない。
【００４５】
作業者時間表示部６６は、作業者名表示部６５に表示された作業者（表示作業者ということがある）に対応する作業関連情報を表示するものである。この作業者時間表示部６６
は、作業指定時刻（作業開始時刻及び作業終了時刻）を、作業関連情報の１つとして表示する。
具体的には、作業者時間表示部６６に作業指定時刻を表示するに際し、まず、演算処理部５３は、表示作業者の作業指定時刻が第３記憶部５２に記憶されているか否かを判断する。ここで、表示作業者の作業指定時刻が第３記憶部５２に記憶されている場合、演算処理部５３は、当該表示作業者の作業指定時刻を第３記憶部５２から抽出して、作業指定時刻を時間帯で示すための作業指定時間帯を求める。例えば、演算処理部５３は、第３記憶部５２に記憶された作業開始指定時刻から作業終了指定時刻を作業指定時間帯とする。
【００４６】
作業者時間表示部６６は、演算処理部５３によって求められた作業指定時間帯に入る時刻が、時間経過表示部６０に表示されている場合（目盛線６０ａや時刻表示体６０ｂで示した時刻が作業指定時間帯の時刻と重複している場合）、作業指定時間帯を直線状の表示バー６９により表示する。具体的には、作業者表示部６５は、時間軸６０ｃにおいて、作業開始指定時刻の「０５時００分」と同じ時刻を示す位置の直下に、作業指定時間帯の初めを示す表示バー６９の先端を表示する。また、作業者表示部６５は、時間軸６０ｃにおいて、作業指定時間帯の「１２時３０分」と同じ時刻を示す位置の直下に、作業指定時間帯の終わりを示す表示バー６９の後端を表示する。
【００４７】
また、作業者時間表示部６６は、作業指定時間帯を表示した位置とは別の位置に、演算処理部５３によって求めた作業開始時刻及び作業終了時刻を表示する。具体的には、作業者時間表示部６６は、振り返り画面Ｓに設けられた時刻表示フレーム７９を備えており、例えば、上述したように、作業開始時刻が６時００分、作業終了時刻が１２時００分である場合は、時刻表示フレーム７９に、「６時００分」、「１２時００分」を表示する。
【００４８】
機械表示部８０は、作業機（トラクタ）に関する様々な情報を表示するものである。機械表示部８０は、時間経過表示部６０の下側に設けられたもので、作業機を識別（特定）するための作業機名を表示する作業機名表示部８１と、トラクタの稼働情報を時間経過と共に表示する稼働表示部８２とを備えている。作業機名表示部８１は、時間経過表示部６０の下側であって時間軸６０ｃよりも左側に設けられ、稼働表示部８２は、時間経過表示部６０の直下に設けられている。
【００４９】
作業機名表示部８１は、振り返り画面Ｓに表示する作業機名を予めサーバ５等に登録しておいた場合、登録済の作業機名をサーバ５から読み込んで表示するものである。サーバ５に複数の作業機名が登録されている場合には、各作業機名を上から順番に表示する。或いは、作業機特定情報と作業機名とが予め関連付けられてサーバ５の第３記憶部５２に記憶されている場合は、作業機名表示部８１は、作業機特定情報に対応する作業機名を表示する。なお、作業機名表示部８１が作業機名を表示する方法は上述したものに限定されない。
【００５０】
稼働表示部８２は、作業機名表示部８１に表示されたトラクタ（表示機械ということがある）の稼働情報を表示するものである。具体的には、稼働表示部８２に稼働情報を表示するに際し、まず、演算処理部５３は、表示機械の稼働情報（例えば、エンジン回転数、データ検出時間）が第３記憶部５２に記憶されているか否かを判断する。ここで、表示機械の稼働情報が第３記憶部５２に記憶されている場合、演算処理部５３は、当該表示機械の稼働情報を第３記憶部５２から抽出して、稼働時間帯を求める。即ち、演算処理部５３は、稼働開始時点でのデータ検出時刻から稼働終了時点でのデータ検出時刻までの時間帯を、稼働時間帯とする。
【００５１】
稼働表示部８２は、演算処理部５３によって求められた稼働時間帯に入る時刻が、時間経過表示部６０に表示されている場合、稼働時間帯を直線状の表示バー８３により表示する。具体的には、作業者表示部６５は、時間軸６０ｃにおいて、稼働開始時点の時刻の「０６時００分」と同じ時刻を示す位置の直下に、稼働時間帯の初めを示す表示バー８３の先端を表示する。また、作業者表示部６５は、時間軸６０ｃにおいて、稼働時間帯の「１２時００分」と同じ時刻を示す位置の直下に、稼働時間帯の終わりを示す表示バー８３の後端を表示する。
【００５２】
位置表示部５６は、作業者名表示部６５に表示された表示作業者の作業者位置Ｑを表示
するもので、作業者名表示部６５に一人の作業者名が表示されている場合は、その作業者名に対応する作業者の作業者位置Ｑを表示する。また、作業者名表示部６５に、複数の作業者名が表示されている場合は、位置表示部５６は、入力インターフェース等で指定された作業者の作業者位置Ｑを表示する。
【００５３】
このように、表示部５４に、作業者名、作業指定時間帯（作業開始指定時刻や作業終了指定時刻を含む時間帯）、作業機名、稼働時間帯（稼働開始時点や稼働終了時点を含む時間帯）を表示することにより、作業指定時間帯と、稼働時間帯との関係を把握することができる。また、作業開始時刻及び作業終了時刻を表示することにより、これら作業開始時刻及び作業終了時刻と、作業指定時間帯及び稼働時間帯との関係を把握することができる。
【００５４】
しがたって、作業者が表示部５４を見ることにより、例えば、自分が指定した作業指定時刻がどの時間帯であって、実際に作業機による作業がどの時刻や時間帯に行っていたかを農作業後に振り返ることができる。しかも、演算処理部５３によって求めた作業開始時刻や作業終了時刻が表示されるため、作業機を用いて農作業を行った時刻を確認することができ、作業日報等の作成を支援することができる。
［第２実施形態］
第２実施形態では、表示部５４（振り返り画面Ｓ）に指定表示具６３を表示し、この指定表示具６３で指定された指定時刻を用いて、作業開始指定時刻や作業終了指定時刻を演算処理部５３によって求めるようにしたものである。
【００５５】
次に、指定表示具６３による作業開始指定時刻や作業終了指定時刻について説明する。
図６に示すように、表示部５４は、位置表示部５６、時間経過表示部６０、作業者表示部６１と、機械表示部８０とを備えている。位置表示部５６、時間経過表示部６０、作業者表示部６１及び機械表示部８０は上述した実施形態と同様である。
図６に示すように、指定表示具６３は、時間経過表示部６０（時間軸６０ｃ）に沿って直線的に左右方向に移動するものである。指定表示具６３は、マウス、キーボード、或いは、タッチパネル等の入力インターフェースの操作（指示）によって移動させることができるようになっている。
【００５６】
指定表示具６３には指定する時間をピンポイントで指し示す指定部６４が示されており、指定表示具６３（指定部６４）の停止位置に対応する時間経過表示部６０（時間軸６０ｃ）上の時刻が、指定表示具６３（指定部６４）によって指し示された時刻（指定時刻）となる。
また、図６に示すように、振り返り画面Ｓには、２つの指定表示具６３が表示されている。振り返り画面Ｓの左側（時間軸６０ｃの時間経過から見て過去）に配置された指定表示具６３ａ（第１指定具という）は、第１の指定時刻（第１指定時刻という）を指定するものである。また、振り返り画面Ｓの右側（時間軸６０ｃの時間経過から見て未来）に配置された指定表示具６３ｂ（第２指定具という）は、第１指定時刻とは異なる第２指定時刻（第２指定時刻という）を指定するものである。
【００５７】
位置表示部５６は、第１指定具６３ａで指定された第１指定時刻に対応する作業者位置を表示したり、第２指定具６３ｂで指定された第２指定時刻に対応する作業者位置を表示する。例えば、作業者名表示部６５に表示した作業者Ａが選択された状況下で、第１指定具６３ａによって６時００分が第１指定時刻として指定された場合、演算処理部５３は、６時００分に対応する作業者Ａの作業者位置を第３記憶部５２から検索する。作業者位置が存在する場合は、位置表示部５６は、作業者Ａの作業者位置を作業場マップＭと共に表示する。
【００５８】
或いは、位置表示部５６は、第１指定時刻から第２指定時刻の時間帯で作業者位置を表示する。例えば、作業者名表示部６５に表示した作業者Ａが選択された状況下で、第１指定具６３ａによって６時００分が第１指定時刻として指定され、且つ、第２指定具６３ｂによって９時００分が第２指定時刻として指定された場合、演算処理部５３は、６時００分〜９時００分までの時間帯に対応する作業者Ａの作業者位置を第３記憶部５２から検索する。作業者位置が存在する場合は、位置表示部５６は、作業者Ａの作業者位置を作業場
マップＭと共に表示する。
【００５９】
なお、作業者位置の表示は、各作業者位置をプロット点として示してもよいし、各作業者位置を連続的に繋げた軌跡（作業者軌跡）として表示してもよい。
図６に示すように、演算処理部５３は、第１指定具６３ａで指定された第１指定時刻が、作業者時間表示部６６に表示されている作業指定時間帯の範囲内で、且つ、稼働表示部８２で表示されている稼働時間帯（稼働状態の時間経過）と重複している場合、第１指定時刻を、稼働開始時点と一致する時刻とみなし、この稼働開始時点の時刻を作業開始指定時刻とする。
【００６０】
例えば、第１指定時刻が「６時０３分」である場合、第１指定時刻は作業指定時間帯（例えば、５時００分〜１２時３０分）までの範囲内であり、第１指定時刻は、稼働時間帯（例えば、６時００分〜１２時００分）と重複しているため、第１指定時刻は、稼働開始時点と一致する時刻であるとみなし、この稼働開始時点の時刻とされた「６時０３分」を作業開始時刻とすることができる。
【００６１】
また、演算処理部５３は、第２指定具６３ｂで指定された第２指定時刻が、作業者時間表示部６６に表示されている作業指定時間帯の範囲内で、且つ、稼働表示部８２で表示されている稼働時間帯（稼働状態の時間経過）と重複している場合、第２指定時刻を、稼働終了時点と一致する時刻とみなし、この稼働終了時点の時刻を作業終了指定時刻とする。
例えば、第２指定時刻が「１１時５７分」である場合、第２指定時刻は作業指定時間帯（例えば、５時００分〜１２時３０分）までの範囲内に入っており、第２指定時刻は、稼働時間帯（例えば、６時００分〜１２時００分）と重複しているため、演算処理部５３は、第２指定時刻は、稼働終了時点と一致する時刻であるとみなし、この稼働終了時点の時刻とされた「１１時５７分」を作業終了時刻とすることができる。
【００６２】
これによれば、指定表示具６３（第１指定具６３ａ、第２指定具６３ｂ）によって、作業者の位置を表示できると共に、振り返り画面Ｓを見ながら作業開始時刻と作業終了時刻とを設定することができる。
［第３実施形態］
第３実施形態では、作業管理支援装置５を作業者が所持する携帯端末で構成したものである。図７に示すように、携帯端末５は、自己位置を検出する位置検出装置４０と、データ収集装置３との通信を行う通信装置４１と、計時部４４と、作業時刻指定部４５と、表示部４６と、情報取得部７１と、第３記憶部７２と、演算処理部７３と、位置表示部７６とを備えている。位置検出装置４０及び通信装置４１は、上述した実施形態と同様の動作を行うため説明を省略する。
【００６３】
また、演算処理部７３は、上述したサーバ５の演算処理部５３と同様の動作を行うため説明を省略する。また、表示部４６及び位置表示部７６も上述したサーバ５の表示部５４及び位置表示部５６と同様の動作を行うため説明を省略する。即ち、上述したサーバの演算処理部５３、表示部５４及び位置表示部５６のそれぞれを、携帯端末４の演算処理部７３、表示部４６及び位置表示部７６として読み替えればよい。
【００６４】
情報取得部７１は、上述したように、データ収集装置３から作業機側情報（農作業データ、作業機特定情報）が送信されて通信装置が４１が作業機側情報を受信すると、受信した作業機側情報を取得する。また、情報取得部７１は、位置検出装置４０が自己位置（作業者位置）及び検出時刻を検出すると、これら自己位置及び検出時刻を取得する。さらに、情報取得部７１は、作業時刻指定部４５によって作業指定時刻（作業開始指定時刻、作業終了指定時刻）が指定されると、これらの時刻を取得する。なお、情報取得部７１は、少なくとも作業機の稼働情報（稼働状態）及び作業指定時刻を取得するものであればよい。
【００６５】
第３記憶部７２は、情報取得部７１が取得した作業機側情報（農作業データ、作業機特定情報）、携帯側情報（作業者位置、検出時刻、作業機特定情報、作業開始指定時刻、作業終了指定時刻）、作業場マップ等を記憶するものである。なお、第３記憶部７２も、サーバ５の第３記憶部５２と同様に作業機側情報、携帯側情報を記憶するものである。
携帯端末５によれば、サーバと同様に、作業機の稼働情報（稼働状態）に基づいて、作
業開始時刻、作業終了時刻を検出したり、表示部７４に作業者位置や作業場マップを表示することができる。
【００６６】
なお、第３実施形態で示した時間経過表示部６０（目盛線６０ａ、時刻表示体６０ｂ、時間軸６０）、作業者表示部６１（作業者名表示部６５、作業者時間表示部６６）、機械表示部８０（作業機名表示部８１、稼働表示部８２）を携帯端末５に設けてもよいし、表示バー６９、指定表示具６３（第１指定具６３ａ、第２指定具６３ｂ）を携帯端末５に設けてもよい。また、その他の変形例として、作業管理支援装置５を、作業者の住宅又は作業者が所属している会社等に設置した設置型コンピュータで構成してもよい。設置型コンピュータの場合は、上述した携帯端末５、或いは、サーバ５を設置型コンピュータに読み替えればよい。
【００６７】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。上述した実施形態では、農業機械の一例としてトラクタを例にあげ説明したが、コンバインであってもよい。コンバインには、収穫した穀物のタンパク質を検出するセンサや収穫量を検出する計量器等が設けられており、コンバインに適用した場合には、収穫量、タンパク質などを農作業データとして取得することができ、圃場毎の収穫量やタンパク質などを整理することが可能となる。或いは、トラクタやコンバインだけでなく、農業機械は、田植機であってもよい。また、作業機として、農業機械だけでなく、バックホーの建設機械に適用してもよい。上述した実施形態では、農作業データ等を携帯端末４を介してサーバ５（作業管理支援装置）に送信するようにしていたが、これに代え、通信装置３１を移動体通信網（例えば、携帯電話通信網）によって通信を行えるように構成し、通信装置３１からサーバ５に農作業データ等を送信するようにしてもよい。
【符号の説明】
【００６８】
１  作業管理システム
２  農業機械
３  データ収集装置
４  携帯端末
５  作業管理支援装置
６  測位衛星
８  制御装置
１０  走行車両
１１  エンジン
１２  変速装置
１３  キャビン
１４  運転席
１５  ３点リンク機構
１６  作業装置
３１  通信装置
３３  第１記憶部
３４  計時部
４０  位置検出装置
４１  通信装置
４３  第２記憶部
４４  計時部
４５  作業時刻指定部
４６  表示部
４７ａ  作業開始ボタン
４７ｂ  作業終了ボタン
５１  情報取得部
５２  第３記憶部
５３  演算処理部
５４  表示部
５６  位置表示部
６０  時間経過表示部
６０ａ  目盛線
６０ｂ  時刻表示体
６１  作業者表示部
６２  変更部
６３  指定表示具
６３ａ  第１指定具
６３ｂ  第２指定具
６４  指定部
６５  作業者名表示部
６６  作業者時間表示部
６９  表示バー
７１  情報取得部
７２  第３記憶部
７３  演算処理部
７４  表示部
７５  時刻入力部
７６  位置表示部
８０  機械表示部
８１  作業機名表示部
８２  稼働表示部
８３  表示バー
【図１】
2014199511.tif 000003
【図２】
2014199511.tif 000004
【図３】
2014199511.tif 000005
【図４】
2014199511.tif 000006
【図７】
2014199511.tif 000007
【図８】
2014199511.tif 000008
【図５】
2014199511.tif 000009
【図６】
2014199511.tif 000010